(57)【要約】【課題】屋外構造物への取付けを極めて容易にすることができる屋外用照明器具を提供する。【解決手段】屋外用照明器具１０は、結束部材により屋外構造物に取り付けられるアーム１１と、光源を収容しアーム１１に固定される器具本体と、を備え、アーム１１は結束部材の上部に係合可能な上部係合爪２１を有する。【選択図】図７
2010231990.tif 000002
【特許請求の範囲】
【請求項１】
結束部材により屋外構造物に取り付けられるアームと、
光源を収容し前記アームに固定される器具本体と、
を備える屋外用照明器具であって、
前記アームは前記結束部材の上部に係合可能な上部係合爪を有することを特徴とする屋外用照明器具。
【請求項２】
前記アームは前記上部係合爪の近傍に前記結束部材を収容するための結束部材収容部を有することを特徴とする請求項１に記載した屋外用照明器具。
【請求項３】
前記アームは前記結束部材の下部に係合可能な下部係合爪をさらに有することを特徴とする請求項１又は２に記載した屋外用照明器具。
【発明の詳細な説明】
【技術分野】
【０００１】
本発明は、例えば屋外に設置されて道路や公園等を照明して防犯等に用いられる屋外用照明器具に関し、特に屋外構造物に取付けるアームの構造に関する。
【背景技術】
【０００２】
従来の屋外用照明器具の一例として、基板の表面に配置される結束部材を掛止する掛止部を有する街路灯固定用補助具を備えた屋外用照明器具がある（例えば、特許文献１参照）。
【先行技術文献】
【特許文献】
【０００３】
【特許文献１】実開平６−６２４１６号公報（図１、請求項１）
【発明の概要】
【発明が解決しようとする課題】
【０００４】
しかし、上記特許文献１に開示された従来の屋外用照明器具では、基板がアームとは別体である。
従って、部品点数の増加が懸念される。
【０００５】
また、上方の掛止部と下方の掛止部との間隔寸法が結束部材の幅寸法よりも小さい。
従って、結束部材をそれぞれの掛止部の側方からしか通すことができず、施工時に屋外用照明器具を保持しながら結束部材を掛止部の側方からしか通すことになって作業性が良好ではない。
【０００６】
本発明は、前述した課題を解決するためになされたものであり、その目的は、屋外構造物への取付けを極めて容易にすることができる屋外用照明器具を提供することにある。
【課題を解決するための手段】
【０００７】
本発明に係る屋外用照明器具は、結束部材により屋外構造物に取り付けられるアームと、光源を収容し前記アームに固定される器具本体と、を備える屋外用照明器具であって、前記アームは前記結束部材の上部に係合可能な上部係合爪を有することを特徴とする。
【０００８】
本発明においては、器具本体を固定するアームに結束部材に係合可能な上部係合爪を有する。
これにより、従来のもののように複数の部品から構成されない。
従って、部品点数の減少を図ることができる。
【０００９】
本発明においては、屋外構造物への取り付けに際し、結束部材を緩めて巻回してある屋外構造物の結束部材との間にアームを差し込むことにより、アームの上部係合爪が結束部材に引っ掛かる。
これにより、従来のものと比較して結束部材を側方から通す作業を行う必要がなくなる。
従って、屋外構造物への取付作業を飛躍的に簡単にすることができる。
【００１０】
本発明においては、屋外構造物の結束部材との間にアームを差し込むことにより、アームの上部係合爪が結束部材に引っ掛かる。
これにより、アームが結束部材に位置決めされる。
従って、屋外構造物に対して簡単に位置決めを行うことにより屋外構造物への取付作業を飛躍的に簡単にすることができる。
【００１１】
本発明に係る屋外用照明器具は、上記屋外用照明器具において、前記アームは前記上部係合爪の近傍に前記結束部材を収容するための結束部材収容部を有することを特徴とする。
【００１２】
本発明においては、アームの上部係合爪を結束部材に引掛けた後に結束部材収容部に結束部材を落とし込む。
これにより、アームが結束部材に保持される。
従って、アームを屋外構造物の所定位置に仮保持できることにより屋外構造物への取付作業を飛躍的に簡単にすることができる。
【００１３】
本発明に係る屋外用照明器具は、上記屋外用照明器具において、前記アームは前記結束部材の下部に係合可能な下部係合爪をさらに有することを特徴とする。
【００１４】
本発明においては、アームの上部係合爪を結束部材に引掛けた後に下部係合爪が結束部材に係合される。
これにより、アームの結束部材からの外れが防止される。
従って、結束部材から外れずに支持されているアームに対して結束部材を締め込む作業を行うことにより、屋外構造物への取付作業を飛躍的に簡単にすることができる。
【発明の効果】
【００１５】
本発明の屋外用照明器具によれば、結束部材により屋外構造物に取り付けられるアームと、光源を収容しアームに固定される器具本体と、を備え、アームは結束部材の上部に係合可能な上部係合爪を有する。
これにより、屋外構造物への取付けを極めて容易にすることができるという効果を有する。
【図面の簡単な説明】
【００１６】
【図１】本発明に係る一実施形態の屋外用照明器具の斜め前方から視た外観斜視図
【図２】図１の屋外用照明器具の正面図
【図３】図１の屋外用照明器具の背面図
【図４】図１の屋外用照明器具の平面図
【図５】図１の屋外用照明器具の右側面図
【図６】図１の屋外用照明器具の底面図
【図７】図１の屋外用照明器具のアームの斜め前方から視た外観斜視図
【図８】図１の屋外用照明器具のラッチ部材の斜め後方から視た外観斜視図
【図９】図８のラッチ部材の斜め前方から視た外観斜視図
【図１０】図８のラッチ部材の斜め後方上部から視た外観斜視図
【図１１】図８のラッチ部材の斜め後方下部から視た外観斜視図
【図１２】図５の屋外用照明器具におけるラッチ部材の取付状態での部分拡大図
【図１３】図１２のラッチ部材の単品側面図
【図１４】図５の屋外用照明器具におけるラッチ部材の取り外し第１アクション時の部分拡大図
【図１５】図１４のラッチ部材の単品側面図
【図１６】図５の屋外用照明器具におけるラッチ部材の取り外し第２アクション時の部分拡大図
【図１７】図１６のラッチ部材の単品側面図
【図１８】図１の屋外用照明器具の電柱との取付けを説明する外観斜視図
【発明を実施するための形態】
【００１７】
以下、本発明の一実施形態に係る屋外用照明器具について図面を参照して説明する。
【００１８】
本発明の一実施形態である屋外用照明器具１０は、屋外設備であるコンクリート製の電柱１に取り付けられるアーム１１と、光源である蛍光灯１３を収容し、アーム１１に固定されるカバー形状の器具本体１２と、蛍光灯１３を覆って器具本体１２に装着される開閉体であるグローブ１４と、グローブ１４を器具本体１２に固定するラッチ部材１５と、を備える。
【００１９】
図１に示すように、アーム１１は、その基端部に電柱１への取付用の電柱取付部１６を有する。アーム１１は、その先端側に、垂直に設置される電柱１に対して予め定められた角度だけ傾斜して器具本体１２を取り付けている。
【００２０】
図２、図３、図４、図５、図６に示すように、器具本体１２は、例えば金属製であって下方を開放させており、内部に不図示の点灯回路を装備している。器具本体１２は両端部に設けられている不図示のソケットに蛍光灯１３が電気的に接続可能に装着されている。器具本体１２は蛍光灯１３からの光を反射させる不図示の反射板を有する。
【００２１】
グローブ１４は、例えば透明や乳白色等の樹脂製であり、器具本体１２の下方側の開口部に取り付けられている。グローブ１４は、その上端部を器具本体１２の上部にヒンジ部材１７を介して開閉自在に連結されており、その下端部をラッチ部材１５により器具本体１２に固定されている。
【００２２】
図７に示すように、アーム１１は、断面視コ字形状の金属製板材を用いて成形されている。アーム１１は、その先端側に、器具本体取付板部１８を有し、器具本体取付板部１８に複数のネジ穴１９を有する。
【００２３】
アーム１１は電柱取付部１６に結束部材収容部であるバンド収容部２０と上部係合爪２１と下部係合爪２２とを形成している。
【００２４】
バンド収容部２０は、電柱１に巻回固定される結束部材であるバンド(図１８参照)２の厚み寸法よりもわずかに小さい深さ寸法であってバンド２の幅寸法よりもわずかに大きい幅寸法を有して電柱取付部１６の中央部に水平方向に凹設されている。バンド収容部２０はバンド２の厚み寸法よりも大きい深さ寸法を有しても良く、それはアーム１１の厚み寸法とバンド２の厚み寸法とを考慮して選択設定されるのが好ましい。
【００２５】
上部係合爪２１はバンド収容部２０の上部において切り起こされることにより下方に向けて突出して形成されている。上部係合爪２１はアーム１１をバンド２に引掛ける機能を有する。
【００２６】
下部係合爪２２はバンド収容部２０の下部において切り起こされることにより上方に向けて突出して形成されている。下部係合爪２２は上部係合爪２１に引っ掛かったバンド２の外れを防止する機能を有する。
【００２７】
上部係合爪２１と下部係合爪２２との間隔寸法はバンド２の幅寸法よりもわずかに大きい。
【００２８】
図８、図９、図１０、図１１に示すように、ラッチ部材１５は、JIS G 4801:2005に規定されるSUP3、SUP6、SUP7、SUP9、SUP10、SUP12等のばね鋼鋼材を用いて板形状に形成されている。ラッチ部材１５は、器具本体係止部２４および自由端のグローブ押え部２５をへ字形状に折曲して有する可撓折曲部２３と、可撓折曲部２３におけるグローブ押え部２５の中央部に形成された掛止部挿通孔２６と、掛止部挿通孔２６内から切り起こされて折り返し形状に突出形成された可撓係止部２７と、を備える。
【００２９】
器具本体係止部２４は器具本体１２の下端部に例えば加締め等の固定手段を介して係止される。固定手段としては加締めに限らず、ネジ固定や溶接等の接合を適用しても良い。
【００３０】
グローブ押え部２５は、その先端部にグローブ押え部側延長部２８を延出している。可撓係止部２７は、その先端部に押圧用の可撓係止部側延長部２９を延出している。
【００３１】
ラッチ部材１５は、可撓折曲部２３の器具本体係止部２４とグローブ押え部２５とが、器具本体１２とグローブ１４との下端部における外面が形成する折曲面の角度（図１２参照）θ１よりも大きい角度θ２を有するように拡げられて折曲されている。そのため、グローブ押え部２５はグローブ１４の取付時に、角度θ２よりも小さい折曲面の角度θ１を有する器具本体１２とグローブ１４とに対して弾性変形され、それに伴い弾性復元力を蓄積してグローブ１４に圧接される。
【００３２】
ラッチ部材１５は、可撓係止部２７がＶ字形状に折曲されているためにグローブ押え部２５に近づく方向およびグローブ押え部２５から離れる方向に弾性変形される。このとき、可撓係止部２７に押圧用の可撓係止部側延長部２９を延出形成しているために、可撓係止部側延長部２９を介して可撓係止部２７を押圧することにより可撓係止部２７をグローブ１４へ当接するまでの大きなストロークで作動させることができる。
【００３３】
次に、屋外用照明器具１０のグローブ１４の器具本体１２への取り付け手順および屋外用照明器具１０の電柱１への取り付け手順について説明する。
【００３４】
まず、屋外用照明器具１０のグローブ１４の器具本体１２への取り付け手順と器具本体１２からの取り外し手順とについて説明する。
【００３５】
図１２に示すように、グローブ１４は、その下端部にラッチ部材１５の可撓係止部２７が嵌入される凹形状の掛止部３０を形成している。
【００３６】
グローブ１４は、ヒンジ部材１７を介して器具本体１２に連結されている上端部に対して下端部を回動させることにより器具本体１２の開口部を覆って被される。
【００３７】
器具本体係止部２４が器具本体１２に係止しているラッチ部材１５は、器具本体１２とグローブ１４との折曲面の角度θ１よりも大きい角度θ２を有して配置されている。
【００３８】
次に、ラッチ部材１５におけるグローブ押え部２５の掛止部挿通孔２６にグローブ１４の掛止部３０を挿通させながら、器具本体係止部２４に対してグローブ押え部２５を弾性変形させてグローブ１４に近づける。
【００３９】
このとき、可撓係止部２７はグローブ押え部２５から離れる方向に弾性変形した位置にあり、グローブ押え部２５のグローブ１４への接近に伴い、掛止部３０を一旦乗り越えてから掛止部３０に係止される。
【００４０】
ラッチ部材１５は可撓係止部２７を掛止部３０に係止させ、可撓係止部２７の掛止部３０への係止に伴いグローブ押え部２５に生じているグローブ１４への圧接力によりグローブ押え部２５がグローブ１４の外面に圧接される。これにより、グローブ１４はラッチ部材１５により器具本体１２に組み付けられる。
【００４１】
図１３に示すように、次に、グローブ１４の器具本体１２からの取り外しに際しては、ラッチ部材１５における可撓係止部２７をグローブ１４側に押圧する第１アクションを行う。可撓係止部２７は、その可撓係止部側延長部２９を押圧することにより大きなストロークで動作される。
【００４２】
図１４、図１５に示すように、ラッチ部材１５の可撓係止部２７がグローブ１４側に押圧されることにより可撓係止部２７が掛止部３０から外れる。このとき、可撓係止部２７がグローブ１４側に押圧されたときにグローブ押え部２５はグローブ１４の外面に圧接されたままになっている。これにより、可撓係止部２７が掛止部３０から外れただけではグローブ１４は器具本体１２から外れない。
【００４３】
図１６、図１７に示すように、可撓係止部２７が掛止部３０から外れた後に、グローブ押え部２５をグローブ１４の外面から離間させる第２アクションを行う。
【００４４】
ラッチ部材１５はグローブ押え部２５がグローブ１４の外面から離間されることにより、グローブ１４への支持を中止し、グローブ１４を器具本体１２から取り外せる状態にする。
【００４５】
続いて、屋外用照明器具１０の電柱１への取り付け手順について説明する。
【００４６】
図１８に示すように、最初に、電柱１にバンド２が緩く巻回される。バンド２は不図示のバンド締込部材が回されることにより内径を小さくするように巻回される。
【００４７】
次に、バンド２と電柱１との間に上方からアーム１１の電柱取付部１６を差し込んでいく。バンド２は電柱１に緩く巻回されているために電柱取付部１６の差し込みは支障なく行われる。
【００４８】
このとき、アーム１１の電柱取付部１６において上部係合爪２１と下部係合爪２２との間隔寸法がバンド２の幅寸法よりもわずかに大きい。そのため、下部係合爪２２をバンド２に通すだけでバンド２を上部係合爪２１に簡単に引掛けることができる。
【００４９】
アーム１１の電柱取付部１６の上部係合爪２１と下部係合爪２２との間にバンド２が配置された後に、バンド２をバンド収容部２０に落とし込む。バンド収容部２０にバンド２を落とし込むことによりアーム１１が電柱１の所定位置に仮保持される。
【００５０】
そして、バンド２のバンド締込部材を締め側に回すことにより屋外用照明器具１０が電柱１の所定位置に取り付けられる。
【００５１】
本実施形態の屋外用照明器具１０では、グローブ１４の器具本体１２への取り付けに際し、可撓係止部２７を掛止部３０へ掛止することによりグローブ押え部２５に弾性復元力を蓄積させてグローブ押え部２５をグローブ１４に圧接させて支持する。これに対して、グローブ１４の器具本体１２からの取り外しに際し、可撓係止部２７を掛止部３０から掛止解除し、その後に、グローブ押え部２５をグローブ１４から離間させることによりグローブ１４が器具本体１２から離脱される。
これにより、グローブ１４の器具本体１２からの取り外しに際し、可撓係止部２７を掛止部３０から掛止解除しただけではグローブ１４を器具本体１２から取り外すことができない。そして、グローブ押え部２５をグローブ１４から離間させることによりグローブ１４を器具本体１２から外すことができる。
従って、取り外し動作を２段階としてグローブ１４を誤って取り外すことがないようにできる。
【００５２】
本実施形態の屋外用照明器具１０では、グローブ１４の器具本体１２からの取り外しに際して可撓係止部２７を掛止部３０から掛止解除するときに押圧用の可撓係止部側延長部２９を押圧する。
これにより、可撓係止部側延長部２９を介して可撓係止部２７を押圧することにより、可撓係止部２７をグローブ１４へ当接するまでの大きなストロークで作動させることができる。
【００５３】
本実施形態の屋外用照明器具１０では、器具本体１２を固定するアーム１１にバンド２に係合可能な上部係合爪２１を有する。
これにより、従来のもののように複数の部品から構成されない。
従って、部品点数の減少を図ることができる。
【００５４】
本実施形態の屋外用照明器具１０では、電柱１への取り付けに際し、バンド２を緩めて巻回してある電柱１のバンド２との間にアーム１１を差し込むことにより、アーム１１の上部係合爪２１がバンド２に引っ掛かる。
これにより、従来のものと比較してバンド２を側方から通す作業を行う必要がなくなる。
従って、電柱１への取付作業を飛躍的に簡単にすることができる。
【００５５】
本実施形態の屋外用照明器具１０では、電柱１のバンド２との間にアーム１１を差し込むことにより、アーム１１の上部係合爪２１がバンド２に引っ掛かる。
これにより、アーム１１がバンド２に位置決めされる。
従って、電柱１に対して簡単に位置決めを行うことにより電柱１への取付作業を飛躍的に簡単にすることができる。
【００５６】
本実施形態の屋外用照明器具１０では、アーム１１の上部係合爪２１をバンド２に引掛けた後にバンド収容部２０にバンド２を落とし込む。
これにより、アーム１１がバンド２に保持される。
従って、アーム１１を電柱１の所定位置に仮保持できることにより電柱１への取付作業を飛躍的に簡単にすることができる。
【００５７】
本実施形態の屋外用照明器具１０では、アーム１１の上部係合爪２１をバンド２に引掛けた後に下部係合爪２２がバンド２に係合される。
これにより、アーム１１のバンド２からの外れが防止される。
従って、バンド２から外れずに支持されているアーム１１に対してバンド２を締め込む作業を行うことにより、電柱１への取付作業を飛躍的に簡単にすることができる。
【００５８】
なお、前記実施形態で使用したアーム１１、器具本体１２、グローブ１４等は例示した形状に限定するものではなく適宜変更が可能である。
【符号の説明】
【００５９】
１  電柱（屋外構造物）
２  バンド（結束部材）
１０  屋外用照明器具
１１  アーム
１２  器具本体
１３  蛍光灯（光源）
２０  バンド収容部（結束部材収容部）
２１  上部係合爪
２２  下部係合爪
【図１】
2010231990.tif 000003
【図２】
2010231990.tif 000004
【図３】
2010231990.tif 000005
【図４】
2010231990.tif 000006
【図５】
2010231990.tif 000007
【図６】
2010231990.tif 000008
【図７】
2010231990.tif 000009
【図８】
2010231990.tif 000010
【図９】
2010231990.tif 000011
【図１０】
2010231990.tif 000012
【図１１】
2010231990.tif 000013
【図１２】
2010231990.tif 000014
【図１３】
2010231990.tif 000015
【図１４】
2010231990.tif 000016
【図１５】
2010231990.tif 000017
【図１６】
2010231990.tif 000018
【図１７】
2010231990.tif 000019
【図１８】
2010231990.tif 000020